(57)【特許請求の範囲】
【請求項１】
室内の適宜な場所に設置可能な小型の理美容用の店舗であって、
上面中央に客が座る一つの椅子が置かれる略円形のフロアベースと、
内部にフロント鏡が取り付けられ前面にフロアベースの外周円弧に沿った湾曲面形状をなす観音開き式の外扉が設けられていて当該外扉をフロアベース内側に向けてフロアベースの一側部に立設する理美容用キャビネットと、
フロアベースの外周円弧に沿った湾曲面形状をなし、前記理美容用キャビネットと対向してフロアベースの他側部に立設するパーティションとを具備し、
理美容用キャビネットの外扉を開けて椅子の前方にフロント鏡を露出させるとともに、フロアベースの周縁に沿って配した前記理美容用キャビネットの外扉とパーティションとで前記椅子の左右側方と後方を遮蔽して、フロアベース上に一人の客のための理容又は美容作業空間を構成する理美容用コンパクト店舗。
【請求項２】
パーティションの内面にバック鏡を設置して、お客が椅子に座ったまま自分の後頭部を見ることができるように構成された請求項１に記載の理美容用コンパクト店舗。
【請求項３】
収納空間乃至収納棚を備えたキャビネットの内部にエアクリーニング用吸引装置を設置するとともに、当該装置に接続したエアホースをキャビネット内部で回動可能に支持し、キャビネット内部からキャビネット正面前方側へエアホース端部を旋回させて引き出し可能に設けた構成を有する請求項１又は２に記載の理美容用コンパクト店舗。
【請求項４】
情報入力キーと情報表示画面を有する情報入出力端末装置をキャビネットの正面側に設けるとともに、通信回線を介してサーバと接続していて前記情報入出力端末装置を制御するコントローラをキャビネット内部に設け、前記情報入力キーを操作して入力された理美容師及びお客に関する情報をサーバに送信し、サーバから受信した情報が情報表示画面に表示出力されるように構成された請求項１〜３の何れかに記載の理美容用コンパクト店舗。
【請求項５】
キャビネット正面側に現金受付機の現金挿入口を配し、現金が挿入されると入金情報が現金受付機からコントローラに送信され、さらにコントローラからサーバに送信されるように構成された請求項４に記載の理美容用コンパクト店舗。
【発明の詳細な説明】
技術分野
本発明は、室内外の適宜な場所に設置可能な理美容用コンパクト店舗及びその店舗で利用される理美容用キャビネットに関する。
背景技術
従来、理美容店舗は、建造物の室内に理美容用椅子を配置し、壁沿いに鏡、洗面装置、棚などを設置し、或いは室内に仕切り壁を設置してこれらの設備を設けていた。すなわち、従来の理美容店舗は、建造物の部屋を理美容室として利用する発想のものであった。
発明の開示
本発明は、このように建造物の部屋をそのまま理美容室とする従来の発想から離れ、簡便な組立てセットをそのままコンパクト店舗とする新たな発想に基いてなしたものである。本発明の目的は、１坪前後（約３〜４ｍ2前後）の平坦な場所があれば、室内でも、構内でも、屋外でも所望の場所に組立てて、そのまま使用することができる理美容用コンパクト店舗及び理美容用キャビネットを提供することにある。
本発明の理美容用コンパクト店舗は、客が椅子に着座し理美容師がその周りで理容又は美容作業が可能なスペースを有する小型のフロアベースと、フロアベースの一側部上に立設する理美容用キャビネットと、これと対向するフロアベースの他側部上に立設するパーティションを少なくとも具備して組立て可能に構成されることを特徴とする。理美容用コンパクト店舗は、また、前記小型のフロアベースと、このフロアベースの一側部上に立設する理美容用キャビネットにより組立て可能に構成することもできる。
好ましい実施形態では、前記フロアベースは平面略円形状主体とし、キャビネットはこの略円形状周縁に沿って立設するような形状に設ける。フロアベースは、直径が約１．５〜２．５ｍの範囲の略円形状に形成してコンパクト化する。
また、好ましい実施形態では、収納空間乃至収納棚を備えたキャビネットの正面部分に鏡を設け、キャビネット内部にはエアクリーニング用吸引装置を設置するとともに、当該装置に接続したエアホースをキャビネット内部で回動可能に支持し、キャビネット内部からキャビネット正面前方側へエアホース端部を旋回させて引き出し可能に設けた構成を有するものとする。キャビネットの正面側に開閉外扉を設け、外扉が閉まった状態でキャビネットの正面全体が当該外扉で覆われ、外扉が開いた状態でフロアベースの周縁沿いに当該外扉が配置されてパーティションとして機能するように形成する。前記キャビネットに対向するようにフロアベース他側部にパーティションを立設し、キャビネットの正面部分の鏡と対向するようにパーティションの内側面に鏡を設置して、客の背面側を写せるようにする。
また、好ましい実施形態では、前記キャビネットの正面側には現金受付機を設置する。キャビネット上部に照明具を設置し、現金受付機に現金が入金されるのと連動して照明具が点灯するように構成してもよい。前記キャビネット正面側のフロアベース上には客用足踏み台を着脱自在に設置する。この足踏み台は内部をゴミ収納部としてもよい。足踏み台はキャビネットの外扉が閉まった状態で外扉内側のフロアベース上に納まるように形成する。
また、好ましい実施形態では、キャビネット内部に入力情報の記憶処理機能を有するコントローラを設け、このコントローラに入金情報を送信する現金受付機の現金挿入口と、理美容師及びお客に関する情報を送受信する情報入出力端末装置とをキャビネット正面側に設けた構成とする。
本発明の理美容用キャビネットは、その正面部分に鏡を設け、内部にはエアクリーニング用吸引装置を設置するとともに、当該装置に接続したエアホースを内部で回動可能に支持し、内部から外側正面前方側へエアホース端部を旋回させて引き出し可能に設け、さらに、前記鏡、キャビネットの収納棚、収納扉などを覆う外扉を正面側に設けて構成されることを特徴とする。
好ましい実施形態では、外扉が開いた状態で外扉がパーティションとして機能するように形成する。さらに、内部に入力情報の記憶処理機能を有するコントローラを設け、このコントローラに入金情報を送信する現金受付機の現金挿入口と、理美容師及びお客に関する情報を送受信する情報入出力端末装置とを正面側に設けた構成とする。キャビネットの正背面は略円弧形状に沿う湾曲面として形成し、外扉も同様に外膨らみの湾曲面として形成することができる。
【図面の簡単な説明】
図１は、本発明の理美容用コンパクト店舗の一実施例を示す分解状態斜視図である。
図２は、図１の店舗のキャビネット正面側を示した図である。
図３は、図２のＡ−Ａ線に沿った店舗全体の切断端面図である。
図４は、図２のＢ−Ｂ線に沿ったキャビネット部分の切断端面図である。
図５は、図２のＣ−Ｃ線に沿ったキャビネット部分の切断端面図である。
図６は、図１の店舗の外扉を開いた状態の平面略図である。
図７は、図１の店舗のキャビネット外扉を閉めた状態の斜視図である。
図８は、図１の店舗のキャビネット外扉を開けた状態の斜視図である。
図９は、図１の店舗に照明具を取り付けたときの斜視図である。
図１０は、理美容用キャビネットの一実施例を示す斜視図である。
図１１は、現金受付機と情報入出力端末装置を並べて設けた実施例のキャビネット正面側を示した図である。
図１２は、キャビネットに設置される情報入出力端末装置の一例の外観図である。
図１３は、理美容用コンパクト店舗の設置例を示し、（Ａ）、（Ｂ）、（Ｃ）は何れも例図である。
発明を実施するための最良の形態
以下、本発明の理美容用コンパクト店舗及び理美容用キャビネットの好適な実施形態について、図面を参照して説明する。
図１〜図６に示した理美容用コンパクト店舗は、フロアベース１と理美容用キャビネット（単にキャビネットという）２とパーティション３を組立て、椅子４、足踏み台５などを配設して構成してある。
フロアベース１は、円形プレート１１ａの一側部に適宜な幅と奥行きで同心円状に膨出させたキャビネット載置プレート１１ｂを連設して床板１１を形成し、この床板１１の外周縁に巾木１２を回し、任意に補強材を床板下側に渡した構成としてある。床板１１は直径を約１．５〜２．５ｍ程度、好ましくは２ｍ前後の大きさに形成し、巾木１２はキャビネット２、パーティション３を立設し固定することができる任意な形態、例えば適宜な箇所に係止部を設けるなどの係止構造を有して形成してある。フロアベース１の中央部には椅子４を固定してある。この椅子４は、側部に突出させたペダル４１の操作によって、座面４２が上下して高さを調整する機構を有している。なお、椅子４は、フロアベース１上に移動自在に載せておいてもよく、この場合は後述するキャビネット２の外扉２Ａを閉めたときに、この外扉内に収納されるようにするのが好ましい。
キャビネット２は、フロアベース１のキャビネット載置プレート１１ｂと巾木１２部分、さらには必要に応じて円形プレート１１ａと載置プレート１１ｂとの境界部に配設した添え木とに係合させつつ、フロアベース１上に載置して立設し、適宜な箇所をねじ止めなどで固着してある。キャビネット２は、前記円形プレート１１ａの円弧面に沿う湾曲面状の前面部２１と、適当な奥行き（収納間隔）を保って平行に形成した湾曲面状の後面部２２を有し、さらに左右側面、上面、底面及び仕切り面などを具備して構成してある。前記前面部２１の中央上部には収納扉２３を設け、この収納扉２３の前面にはフロント鏡２４を一体に取り付けてある。収納扉２３は、横方向にスライド開閉可能（回転して開閉する形態でもよい）に設置してあり、その扉の内側は、お客の上着や持ち物その他の物を収納するための収納部としてある。
キャビネット２の中央下部に設けられた収納部にはエアクリーニング用吸引装置（装置本体は図示せず）が設置してあり、そこから装置に接続したエアホース２５を延出させてキャビネット上部に立ち上げるとともに、その上端で水平に折れた水平部２５がキャビネット２の上面下側の収納隙間内に横架し、さらに水平部２５の端部に接続した伸縮可能な垂下部２５ｂとその先端に接続した吸引口部２５ｃをキャビネット２の横隅部に収納してある。そして、エアホース２５はキャビネット内部で垂直軸周りに回動し得るように支持されており、図６に示されるように、当該支持部を支点としてエアホース２５と連結した水平部２５を旋回してキャビネット内部からキャビネット正面前方側へ引き出し、前記椅子４に着席したお客の頭部の断髪を吸引口部２５ｃから吸引することができるようになっている。
また、図２に示されるように、キャビネット２の一側部、同図中の右側には多段の収納棚２６を設け、例えばその中段に紫外線消毒器を収納し、下段にダストボックスを設置してある。キャビネット２の他側部には、上段にエアコンディショナーを設置し、その前面部にエアー吹出口２７、後面部に換気ルーバーをそれぞれ形成してあり、中段には現金受付機２８を設置し、その前面部に現金挿入口を露出させてある。現金受付機２８の下側には洗浄機乃至超音波洗浄機２９を設置してある。
また、キャビネット２の前面には、観音開き式の外扉２Ａ，２Ａが取り付けてある。外扉２Ａ，２Ａは湾曲面状に形成され、それぞれ外側縁部をキャビネット２の左右側面前端部にヒンジを介して回動自在に連結してあり、閉扉状態においてキャビネット２の左右側面と連続面状態となり、前記後面部２２と逆にキャビネット前方へ膨出した湾曲壁面を形成し、キャビネット２の前面全体を覆うようになっている。また、開扉状態において、外扉２Ａ，２Ａは、前記巾木１２の円弧上に合致したフロアベース１の周縁沿いに配置され、前記椅子４に着席したお客の左右側部を外側から遮蔽するパーティションとして機能するようになっている。
パーティション３は、フロアベース１の一側部に立設したキャビネット２と対向するフロアベース１の他側部に立設させてある。パーティション３は、開いた状態の前記外扉２Ａの側端部との間でお客がフロアベース１上に入出可能な巾の間隙を残して、フロアベース１の後方の空間を目隠し可能な適宜な巾に形成してある。パーティション３の左右両端部は前記巾木１２に固定して立設した支柱３１，３１に連結してある。図６に示されるように、パーティション３の内側面の適宜位置、すなわち椅子４に着席したお客がフロント鏡２４に反射する状態で自分の後頭部を写し見ることができる位置にバック鏡３２を取り付けてある。
図３〜図６に示されるように、椅子４とキャビネット２の間のフロアベース１上には足踏み台５を設けることが好ましい。足踏み台５は、キャビネット２の外扉２Ａを閉めた状態において、キャビネット前面部２１と外扉２Ａ間に収納可能な大きさ形状として形成される。なお、足踏み台５の内部を空洞とするとともに当該台の正面側壁にペダルを踏んで空洞を開口する蓋部を設け、開口から出し入れ可能なゴミ収納部（ダストボックス）を設置し、このゴミ収納部の正面壁部には前記開口に対応する掃き込み口を形成した構成としてもよい。
このように本発明の理美容用コンパクト店舗は、フロアベース１の一側部にキャビネット２を立設し、他側部にパーティション２を立設し、椅子４、足踏み台５を設置して構成される組立て式のものである。図示した形態の場合は、キャビネット２がフロアベース１の一側から同心円状に張り出した、円筒外形を基本とした形態のコンパクト店舗となっている。この店舗によれば、閉店時は、図７に示されるように、外扉２Ａ，２Ａを閉じて適宜施錠しておき、開店時は、図８に示されるように、外扉２Ａ，２Ａを開き、巾木１２上方にパーティション兼用として定置させればよい。
図８は、前記構成の理美容用コンパクト店舗に照明具６を設置した形態を示している。照明具６は、キャビネット２とパーティション３の上方に支持ポール６１を渡して架設し、このポール中央部に設置してある。この場合、現金受付機２８と照明具６を電気的に接続し、現金挿入口に現金を挿入し、現金受付２８が入金を確認すると両者をつなぐ回路が閉じて照明具６が点灯し、これがお客の受付完了の合図となるように設けることができる。
前記構成の店舗では、お客がフロアベース１上に入り、理美容作業代金を現金受付機２８の現金挿入口に入れることにより受付が完了する。入金に連動して照明具６が点灯する。そして、必要に応じてお客の上着や荷物を収納扉２３を開けてキャビネット２内に収納し、お客を椅子４に座らせる。理美容師はペダル４１を踏んで椅子４の座面４２の高さを調整し、収納棚２６から道具を取り出して理美容作業を行う。作業後、エアホース２５をキャビネット２から引き出し、エアクリーニング用吸引装置のスイッチを入れて装置を作動させ、吸引口部２５ｃからお客の毛くずなどを吸引する。
本発明の理美容用コンパクト店舗は、室内に設置する場合、パーティションを設置しない状態で店舗とすることができる。また、図１０に示す如く、フロアベース１を用いることなく、キャビネット２とその正面に椅子４を配置してそのまま店舗とすることができる。この場合、足踏み台５を配置することは任意である。さらに、外扉２Ａを装着しない状態のキャビネット２のみで店舗とすることも可能である。
図１１は、キャビネット２に入力情報の記憶処理機能を有するコントローラと、理美容師及びお客に関する情報を送受信する情報入出力端末装置を設置した形態を示している。詳しくは、前記エアコンディショナーに替えてキャビネット２の内部にコントローラ（図示せず）を設置し、キャビネット２の正面側には情報入出力端末装置７を設置し、現金受付機２８から入金情報がコントローラに入力され、情報入出力端末装置７から理美容師とお客に関する情報がコントローラに入力され、また、コントローラから出力される情報が情報入出力端末装置７の表示画面上に表示されるように設けてある。
情報入出力端末装置７は、図１２に示されるように、キャビネット２の前面側に各種操作キー７１と液晶表示画面７１を配置して構成してある。操作キー７１は、例えば開店と閉店の別、担当理美容師の登録番号、作業の開始と終了の別、作業時間、お客の性別や年齢、来店数、天候などの当該店舗で作業する理美容師とそのお客に関する情報を入力するファンクションキーや、テンキーその他各種の情報を入力するキーにより構成されている。操作キー７１を操作して入力される情報は逐次コントローラに入力される。また、お客が来店し、理美容作業代金が現金受付機２８に入金される毎に現金受付機２８からコントローラに入金情報が入力される。
コントローラは、情報入出力端末装置７と現金受付機２８の動作を制御するとともに、各種情報を処理、記憶する機能を有している。また、コントローラは、当該店舗で行われる業務を運営・管理する管理本部に設置したサーバとインターネットその他適宜な通信回路で接続してあり、管理本部との間で各種情報を送受信することができるようになっている。具体的には、当該店舗の担当理美容師が情報入出力端末装置７から入力する前記各情報と、現金受付機２８から出力される入金情報がコントローラから管理本部のサーバに送信され、管理本部では送信された情報を基に、その店舗の運営状況や売上実績などの情報を把握できるようになっている。また、管理本部から理美容師に対する諸連絡がサーバからコントローラに送信され、コントローラは液晶表示画面７１に送信された情報を表示出力して理美容師に通知できるようになっている。また、サーバからはお客向けの宣伝や各種広告、ニュースなどの情報も送信され、お客に対するこれら情報を液晶表示画面７１に表示出力して、様々な情報をお客に通知することができるようになっている。
このような理美容用コンパクト店舗は、単独１個の店舗とすることができ、また、複数個を設置する場合は、設置場所の環境、スペースの形や広さ、隣接物の状態などを考慮して様々な形態の配置とすることができる。図１３（Ａ），（Ｂ），（Ｃ）に示す配置状態はその一例である。
また、理美容用コンパクト店舗は、１個又は複数個を並べて、室内に設置し、或いは空港、広場、各種コンコース、駅ホーム、パーラなどの一角、その他所望の建造物構内、或いはまた建物の外、街角、公園など所望の屋外の場所に設置することが可能である。しかも小型であり、例えば１坪前後（約３〜４ｍ2前後）のスペースで店舗を回転することができ、前記理美容用キャビネットのみでも理美容用店舗とすることも可能であり、また、この店舗は組立て・解体が容易であり、基礎工事を必要としない。理美容用キャビネットの外扉は、閉めた状態でキャビネット内の収納品、装備品が盗難されるのを守り、開けた状態では店舗内外を区画するパーティションとして機能する。
前記のように、本発明は理美容店舗をコンパクト化して提供したものであり、各部の構成は前記実施形態の説明によって限定されることなく、設計変更が可能であり、種々の変更も本発明に属するものである。フロアベースの形状も正円形に限定されず、楕円その他の円状、多角形状などであってもよいものである。また、フロアベースの外周部分が凹凸するように形成してもよく、キャビネット載置部を含む床板全体を連続形状とし、或いは分離形状して形成してもよい。
本発明によれば、定型化した理美容用キャビネット、或いは定型化したフロアベースと理美容用キャビネット、或いはまた定型化したフロアベースと理美容用キャビネットとパーティションを組立てることにより、小型の理美容用コンパクト店舗を実現することができる。この店舗の製造は安価であり、運搬、保管、組立て、解体などが簡便であり、設置可能な場所の選択余地を室内外のいずれにも著しく広げることができる。
また、組立物１個だけで店舗とすることができ、複数個を所望に配置して複数店舗状態、或いは多店舗状態とすることも任意に可能である。また、この店舗は望ましいデザイン化が可能であり、閉店時、開店時何れの状態においても、周囲の環境に対しオブジェ的に美的訴求効果を発揮するものである。例えばフロアベースを円形状とすることにより、外観もよく、機能的にも優れ、また１個当たりで１坪前後（約３〜４ｍ2前後）の小型店舗を構成することができる。理美容用キャビネットは、理美容設備を十分にコンパクトに装備でき、外扉を設ければ、閉店時の店舗保護ができ、外扉を開けた状態でパーティションとして機能させることができる。
【図１】
0003688698.tif 000002
【図２】
0003688698.tif 000003
【図３】
0003688698.tif 000004
【図４】
0003688698.tif 000005
【図５】
0003688698.tif 000006
【図６】
0003688698.tif 000007
【図７】
0003688698.tif 000008
【図８】
0003688698.tif 000009
【図９】
0003688698.tif 000010
【図１０】
0003688698.tif 000011
【図１１】
0003688698.tif 000012
【図１２】
0003688698.tif 000013
【図１３】
0003688698.tif 000014